(57)【要約】      （修正有）【課題】ＬＥＤを使用した複数の光源部に対して共通に使用できる電源部を備え、各光源部に応じた適切な駆動制御が可能な照明装置を提供する。【解決手段】１個または複数個のＬＥＤ１１を備えた光源部１０と電源部２０とを有し、光源部１０は発光部１８に接続用コード１４により接続された光源側コネクタ１５を備え、電源部２０は駆動回路２７と、電源側コネクタ２９とを備え、光源側コネクタ１５は、電源端子１６ａと情報端子１７ａとを有し、情報端子１７ａには光源側コネクタ１５に収納され発光部の情報を記憶したＩＣメモリからなる記憶素子１９が接続されている。制御部２４は、情報端子１７ａから入力された記憶素子１９の情報に基づいてＬＥＤ１１を駆動するための電流波形を設定し、駆動回路部２３を制御する。【選択図】図１
0003185832.tif 000002
【実用新案登録請求の範囲】
【請求項１】
１個または複数個のＬＥＤを備えた光源部と、前記光源部と分離可能に構成され、前記光源部に電力を供給する電源部を有する照明装置であって、
前記光源部は、前記ＬＥＤを収納した発光部と前記電源部と接続する光源側コネクタを備え、
前記電源部は、前記ＬＥＤを駆動するための駆動回路と、前記光源側コネクタに接合される電源側コネクタを備え、
前記光源側コネクタは、前記ＬＥＤに電力を供給するための配線が接続される電源端子と、前記光源部の情報を記憶した記憶素子が接続される情報端子とを有し、
前記駆動回路は、前記情報端子を介して入力された前記記憶素子の情報に基づいて前記ＬＥＤを駆動するための電流波形または電圧波形を設定する機能を有し、
前記光源部は前記発光部と前記光源側コネクタとの間に接続用コードを備え
前記記憶素子は、ＩＣメモリ、またはＩＣメモリを内蔵した素子であって、前記光源側コネクタに収納されていることを特徴とする照明装置。
【請求項２】
前記記憶素子は、前記光源側コネクタに着脱可能に構成されていることを特徴とする請求項１に記載の照明装置。
【考案の詳細な説明】
【技術分野】
【０００１】
本考案は、光学検査装置、光学測定器、画像検出装置等の光学装置や工場や家庭などの照明に使用される照明装置であって、特に、光源にＬＥＤを使用する照明装置に関する。
【背景技術】
【０００２】
近年、低消費電力、長寿命、低発熱、柔軟な発光制御の可能性などの特長に着目して、光学検査装置、光学測定器、画像検出装置等の光学装置に使用される照明装置、さらには、事務所や工場、家庭などにおいて使用される一般的な照明装置にＬＥＤ（発光ダイオード）が使用されている。
【０００３】
従来のＬＥＤを使用した照明装置は、一般的に１個または複数のＬＥＤを収納した発光部を有する光源部とＬＥＤに駆動電力を供給する電源部とが一体として構成されている場合と、光学装置に多く見られるように、光源部と電源部が分離可能に構成されている場合とがある。しかし、いずれの場合も、電源部に内蔵された駆動回路は、その照明装置の光源部に固有の１個または複数のＬＥＤに最適化された電流波形または電圧波形を供給するように構成されている。
【０００４】
このような、従来のＬＥＤを使用した照明装置においては、通常、光源部の取替えは、ＬＥＤの劣化などに伴って、同じ規格を有する新品の光源部との差し替え、または新品の発光部との差し替えにより行われており、例えば、取替えの際の作業性や放熱特性などに着目した照明装置の改善例が特許文献１や特許文献２に記載されている。
【先行技術文献】
【特許文献】
【０００５】
【特許文献１】特開２００９−２３１０１６号公報
【特許文献２】特開２００６−２１００４０号公報
【考案の概要】
【考案が解決しようとする課題】
【０００６】
ＬＥＤを用いた照明装置において、ＬＥＤの発光制御を行う場合、従来の白熱ランプや蛍光灯などを用いた照明装置とは異なる制御が行われる。例えば、ＬＥＤでは発光強度の電流値への依存性が白熱ランプなどより大きいため、電流値の制御が重要となる。
【０００７】
照明装置においては、光源部におけるＬＥＤの種類や使用数、結線方法などによって駆動回路の方式や駆動電流値、パルス幅などの駆動条件は当然異なってくる。また、ＬＥＤの実装状態によってＬＥＤの発熱状態が変わるので、起動後の発光状態も異なり、それに応じた制御が必要な場合も生ずる。また、同じ規格のＬＥＤを用いた同じ構成の光源部でも、ＬＥＤの個体差により駆動条件が異なる場合がある。さらに、その光源部の使用履歴により、ＬＥＤの劣化状態が異なるので、最適な駆動条件が変化する場合も生ずる。
【０００８】
上記のような事情により、従来のＬＥＤを用いた照明装置では、各光源部に対して固有の電源部を有しており、発光部を取り換える場合にも、特許文献１や特許文献２に記載のように、同じ規格の発光部にのみ差し替えることが行われていた。
【０００９】
しかし、一般的に、工場内での製品製造や製品検査などの工程では多くの種類の光学装置が使用され、それらの光学装置に付属する照明装置も多種類にわたっている場合が多い。また、様々な展示システム、広告システムなどでも多くの照明装置を目的に合わせて取り換えて使用する場合がある。このように複数の照明装置を取り換えて使用する場合、電源部も光源部と一体として取り換える必要があり、各照明装置ごとに電源部を必要としていた。
【００１０】
上記のように、各照明装置ごとに異なる電源部を有すると、照明装置には必ず電源部のコストを含み、その分だけ高価格となること、さらに、多くの照明装置を収納する場合にも電源部の収納スペースが必要となることなどの問題があった。また、従来の光源部と分離可能な電源部を有する照明装置では、互いに類似した電源部が存在すると、光源部に対して不適切な電源部を用いてしまうトラブルなども発生しやすく、故障の原因となることもあった。
【００１１】
一方、複数の照明装置に対して共通の電源部が使用できれば、照明装置の低コスト化が可能となり、収納に必要なスペースも小さくてすむことになる。また、各光源部に適した駆動条件を常に電源部で把握して駆動条件を決定できれば、効率のよい発光制御が可能となり、故障も発生しにくくなる。
【００１２】
そこで、本考案の目的は、ＬＥＤを使用した複数の光源部に対して共通に使用できる電源部を備え、各光源部に応じた適切な駆動制御が可能な照明装置を提供することにある。
【課題を解決するための手段】
【００１３】
上記目的を達成するため、本考案の照明装置は、１個または複数個のＬＥＤを備えた光源部と、前記光源部と分離可能に構成され、前記光源部に電力を供給する電源部を有する照明装置であって、前記光源部は、前記ＬＥＤを収納した発光部と前記電源部と接続する光源側コネクタを備え、前記電源部は、前記ＬＥＤを駆動するための駆動回路と、前記光源側コネクタに接合される電源側コネクタを備え、前記光源側コネクタは、前記ＬＥＤに電力を供給するための配線が接続される電源端子と、前記光源部の情報を記憶した記憶素子が接続される情報端子とを有し、前記駆動回路は、前記情報端子を介して入力された前記記憶素子の情報に基づいて前記ＬＥＤを駆動するための電流波形または電圧波形を設定する機能を有し、前記光源部は前記発光部と前記光源側コネクタとの間に接続用コードを備え、前記記憶素子は、ＩＣメモリ、またはＩＣメモリを内蔵した素子であって、前記光源側コネクタに収納されていることを特徴とする。
【００１４】
これによって、電源部側で、接続された光源部の種類などの識別情報や光源部の駆動に適した電流値などの光源部に関する情報を把握して、駆動条件を設定できる。該情報を記憶した記憶素子を有する光源部であれば共通の電源部で駆動可能となる。
【００１５】
また、記憶素子をＩＣメモリ、またはＩＣメモリを内蔵した素子とすることにより、発光部の使用履歴の情報や、予め設定された発光部の発光輝度に関する情報、予め設定された発光部の発光輝度の時間変化に関する情報、および発光部の温度に関する情報など、多くの情報を記憶することができる。このように使用履歴などの条件を電源部で把握することにより、より適切な駆動が可能となる。
【００１６】
また、ＩＣメモリを含む記憶素子を接続用コードにより発光部から分離した光源側コネクタに収納することにより、通常大きな電流または電圧が加えられる発光部のＬＥＤを搭載した回路基板から発生する電磁ノイズの影響をＩＣメモリが受けにくくなり、ノイズ対策が容易となる。
【００１７】
さらに、本考案においては、前記記憶素子は、前記光源側コネクタに着脱可能に構成されていてもよく、このように記憶素子を着脱可能とすることにより、外部のパーソナルコンピュータなどにより、容易に記憶内容の書き込み、読み出しが可能となる。
【考案の効果】
【００１８】
本考案の照明装置によれば、光源部の情報を記憶したＩＣメモリ、またはＩＣメモリを内蔵した記憶素子が光源側コネクタに収納されており、光源側コネクタと電源側コネクタの接続によって電源部側でその情報を取り出し、その情報に基づいてＬＥＤの駆動条件を決定して光源部を制御できるので、電源部はＬＥＤを使用した複数の光源部に対して共通に使用できる。そして、各光源部に応じた適切な駆動制御が可能となる。
【図面の簡単な説明】
【００１９】
【図１】本考案による照明装置の第１の実施の形態の模式的な構成図。
【図２】本考案による照明装置の第２の実施の形態の模式的な構成図。
【考案を実施するための形態】
【００２０】
以下、本考案による照明装置の実施の形態について、図面に基づいて詳細に説明する。
【００２１】
［第１の実施形態］
図１は、本考案による照明装置の第１の実施の形態の構成を模式的に示す。図１において、本実施形態の照明装置１００は、複数個のＬＥＤ１１を備えた光源部１０と、該光源部１０に電力を供給するための電源部２０を有する。光源部１０と電源部２０は、光源側コネクタ１５と電源側コネクタ２９によって分離可能に接続される。光源部１０はＬＥＤ１１を収納した発光部１８や光源側コネクタ１５を備え、電源部２０は、ＬＥＤ１１を駆動するための駆動回路２７と、光源側コネクタ１５に接合される電源側コネクタ２９を備えている。ここで、駆動回路２７は駆動電流を出力する駆動回路部２３と駆動電流値などを制御する制御部２４から構成されている。
【００２２】
光源部１０では、発光部１８と光源側コネクタ１５が接続用コード１４で接続されている。光源側コネクタ１５は光源側電源コネクタ１６と光源側情報コネクタ１７の２つに分離され、光源側電源コネクタ１６は電源端子１６ａを、光源側情報コネクタ１７は情報端子１７ａを備えている。電源端子１６ａにはＬＥＤ１１に電力を供給するための配線が接続され、情報端子１７ａには光源部１０の情報を記憶した記憶素子１９が接続されている。
電源部２０の電源側コネクタ２９も２つに分離され、光源側電源コネクタ１６に接合する電源側電源コネクタ２１と、光源側情報コネクタ１７に接合する電源側情報コネクタ２２を備えている。制御部２４は、情報端子１７ａを介して入力された記憶素子１９の情報に基づいてＬＥＤ１１を駆動するための電流波形を設定する機能を有し、その設定値に基づいて駆動回路部２３を制御する。
【００２３】
また、本実施の形態の照明装置１００において、記憶素子１９は、ＩＣメモリにより構成され、光源側情報コネクタ１７内に収納されている。記憶素子１９には、光源部１０の種類、最適な駆動電流波形のデータ、印加可能な駆動電流および駆動電圧の範囲、および使用履歴などの情報が記憶されている。
【００２４】
本実施形態の照明装置１００は、円環状にＬＥＤを配置したリング照明装置であり、図１の発光部１８は、その断面を模式的に示すものである。発光部１８は、複数のＬＥＤ１１と、ＬＥＤ１１を実装し、各ＬＥＤへの給電線を接続用コード１４に導くための配線基板１２と、ＬＥＤ１１からの出射光を円環の中心軸上の照射領域Ａに集光するためのレンズ１３とを備えている。
【００２５】
電源部２０は、光源の種類や発光状態などを表示する表示部２５を備えている。ここで、制御部２４は、ボリュームやスイッチなどを備え、発光輝度や発光時間などを外部より調整可能とする機能を有していてもよい。
また、発光部１８の配線基板１２に増幅回路などを備え、その制御と電力供給を制御部２４と駆動回路部２３で行う構成としてもよい。
【００２６】
ここで、本実施の形態の照明装置の基本構成は、発光部に１個のＬＥＤとレンズを用いたスポット状の照明装置に対しても適用でき、また、表示部２５はなくてもよい。
［第２の実施形態］
図２は、本考案による照明装置の第２の実施の形態の構成を模式的に示す。図２に示すように、本実施形態の照明装置３００は、光源部５０と、光源部５０と分離可能に構成された電源部９０を有している。光源部５０は、多数のＬＥＤ５１を１列または数列、直線状に配置して構成した発光部５８と、光源側コネクタ５５と、発光部５８と光源側コネクタ５５を接続する接続用コード５４とを備えている。
【００２７】
発光部５８は、ＬＥＤ５１を実装し、その給電線を接続用コード５４に導くための配線基板５２を備え、光源側コネクタ５５は電源端子５６と情報端子５７を備えている。電源端子５６にはＬＥＤ５１に電流を供給するための配線が接続されている。情報端子５７には記憶素子５９が接続される。該記憶素子５９は光源側コネクタ５５の外部から挿入される。
記憶素子５９は、ＩＣメモリにより構成されており、光源部５０の種類、最適な駆動電流、印加可能な駆動電流および駆動電圧の範囲、発光輝度の時間変化パターン、発光部の温度に関する情報、および使用履歴などの情報が記憶されている。
【００２８】
電源部９０は、ＬＥＤ５１を駆動するための第１の実施例と同様な駆動回路部４３と制御部４４とからなる駆動回路４７と、光源側コネクタ５５に結合される電源側コネクタ４９を備えている。発光部５８の配線基板５２に増幅回路などを備え、その制御と電力供給を電源部９０で行う構成としてもよいことも第１の実施形態の場合と同様である。
【００２９】
また、電源部９０においては、駆動回路４７は、ＬＥＤの駆動電流の電流値を制御することにより発光部１１からの出射光の輝度を調整する第１の駆動回路方式（図示せず）と、ＬＥＤの駆動電流パルスのパルス幅を制御することにより発光部１１からの出射光の輝度を調整する第２の駆動回路方式（図示せず）と、ＬＥＤの駆動電流の電流値およびＬＥＤの駆動電流パルスのパルス幅の制御により発光部１１からの出射光の輝度を調整する第３の駆動回路方式（図示せず）とを選択可能に構成してもよい。
【００３０】
また、この場合、光源部５０の情報を記憶した記憶素子５９は、光源部５０が上記の３つの駆動回路方式のいずれを選択するかを定めた情報と光源部５０の識別情報を記憶した第１の記憶素子（図示せず）と、光源部５０の他の情報を記憶した第２の記憶素子（図示せず）とから構成してもよい。
【００３１】
さらにこの場合、第１の記憶素子は複数個の出力端子を有し、それらの出力端子のうちの基準となる出力端子と他の出力端子との間の抵抗値の組み合わせにより情報を記憶し、第２の記憶素子にＩＣメモリを備えてもよい。この場合、抵抗値としては任意に定めることができるが、抵抗値が最小の短絡状態、抵抗値が最大の開放状態の２つの状態の組み合わせとするのが最も簡易であり、上記の複数の出力端子の短絡か開放かの設定は、スイッチなどを手動により切り替えることにより変更が可能となるように構成してもよい。また、駆動回路４７において、駆動回路方式を１つの方式のみとし、第１の記憶素子の有する情報を識別情報のみとしてもよい。
【００３２】
以上のように、本考案により、ＬＥＤを使用した複数の光源部に対して共通に使用できる電源部を備え、各光源部に応じた適切な駆動制御が可能な照明装置が得られる。また、光源部に使用されている個々のＬＥＤに応じた駆動条件を記憶素子に記憶させておくことにより、同じ規格の照明装置であっても、個々の照明装置に最適な条件での駆動制御を行うことができる。
【００３３】
なお、本考案は上記の実施形態の照明装置や光学装置に限定されるものではなく、目的や用途に応じて設計変更可能である。例えば、照明装置の仕様によって、光源部のＬＥＤの数および配置、電源部の構成などは任意に定めることができる。また、接続用コードを電源部と電源側コネクタとの間に備えてもよい。記憶素子に収める光源部のデータの種類、記憶素子の形態なども任意に設定可能である。
【符号の説明】
【００３４】
１０、５０    光源部
１１、５１    ＬＥＤ
１２、５２    配線基板
１３          レンズ
１４、５４    接続用コード
１５、５５    光源側コネクタ
１６          光源側電源コネクタ
１６ａ、５６  電源端子
１７          光源側情報コネクタ
１７ａ、５７  情報端子
１８、５８    発光部
１９、５９    記憶素子
２０、９０    電源部
２１          電源側電源コネクタ
２２          電源側情報コネクタ
２３、４３    駆動回路部
２４、４４    制御部
２５          表示部
２７、４７    駆動回路
２９、４９    電源側コネクタ
【図１】
0003185832.tif 000003
【図２】
0003185832.tif 000004